(57)【特許請求の範囲】
【請求項１】
所定の文字、図形、記号などの標章が印刷されたシートの一部にプロモーションしようとする隠蔽画像が描画された光学媒体を設けてなるプロモーションカードと、
前記光学媒体内の隠蔽画像を顕在化させる色調を発色させる映像出力データを送信できる発信情報処理手段と、
前記発信情報処理手段からの映像出力データに基づいた色調を発色するユーザー端末装置を備え、前記ユーザー端末装置に表示されている色調に前記プロモーションカードの光学媒体をかざすことにより前記カードの光学媒体内の隠蔽画像を目視にて認識可能にする映像表示認識手段を具備し、
前記プロモーションカードに印刷された前記標章と前記光学媒体内の隠蔽画像とを使用することによりプロモーションすることを特徴とするネットプロモーションシステム。
【請求項２】
前記発信情報処理手段は、前記映像表示認識手段のユーザー端末装置から画像顕在化要求があったときに、前記映像出力データを送出することを特徴とする請求項１記載のネットプロモーションシステム。
【請求項３】
前記発信情報処理手段は、前記ユーザー端末装置から送られてきた前記標章に応じた応答データを形成し、当該応答データを前記ユーザー端末装置に送出できることを特徴とする請求項１または２記載のネットプロモーションシステム。
【請求項４】
前記発信情報処理手段は、前記隠蔽画像を見るときの、前記プロモーションカードの光学媒体を使用するための説明文や図等の情報を送信できることを特徴とする請求項１乃至３のいずれか1つに記載のネットプロモーションシステム。
【請求項５】
所定の文字、図形、記号などの標章が印刷されたシートの一部に、プロモーションしようとする隠蔽画像が描画された光学媒体を設けてなることを特徴とする請求項１乃至４のいずれか１つに記載のネットプロモーションシステムに使用するためのプロモーションカード。
【請求項６】
少なくともチェックビット番号を含む所定の文字、図形、記号などの標章が印刷されたシートの一部に、プロモーションしようとする隠蔽画像が描画された光学媒体を設けてなることを特徴とする請求項１乃至４のいずれか１つに記載のネットプロモーションシステムに使用するためのプロモーションカード。
【請求項７】
少なくともチェックビット番号を含む所定の文字、図形、記号などの標章が印刷されたシートの一部に、プロモーションしようとする隠蔽画像が描画された光学媒体を設け、前記チェックビット番号は１枚毎に内容が異なるように設定されてなることを特徴とする請求項１乃至４のいずれか１つに記載のネットプロモーションシステムに使用するためのプロモーションカード。
【請求項８】
所定の文字、図形、記号などの標章が印刷されたシートの一部に、プロモーションしようとする隠蔽画像が描画された光学媒体を設けてなるプロモーションカードの光学媒体内に表示された隠蔽画像を顕在化させる色調を発色させる映像出力データを送信できる発信情報処理手段を具えたことを特徴とする映像情報発信システム。
【請求項９】
前記発信情報処理手段は、ユーザー端末装置から隠蔽画像の顕在化要求があったときに、前記映像出力データを送出することを特徴とする請求項８記載の映像情報発信システム。
【請求項１０】
前記発信情報処理手段は、前記プロモーションカードに記載されている標章に関する情報がユーザー端末装置を介して送られてきたときに、当該標章の情報に応じた応答データを形成し、当該応答データを前記ユーザー端末装置に送出できることを特徴とする請求項８または９記載の映像情報発信システム。
【請求項１１】
前記発信情報処理手段は、前記隠蔽画像を見るときの、プロモーションカードの光学媒体を使用するための説明文や図等の情報を送信できることを特徴とする請求項８乃至１０のいずれか1つに記載の映像情報発信システム。
【請求項１２】
発信情報処理手段からの映像出力データに基づいた色調を発色するユーザー端末装置を備え、
前記ユーザー端末装置に表示されている色調にプロモーションカードの光学媒体をかざすことにより前記プロモーションカードの光学媒体内の隠蔽画像を目視にて認識可能にすることを特徴とする映像表示認識システム。
【発明の詳細な説明】
【０００１】
【発明の属する技術分野】
本発明は、ネットプロモーションシステム、プロモーションカード、映像情報発信システム及び映像表示認識システムに関する。さらに詳しくは、本発明は、所定の文字、図形、記号などの標章を印刷したシート状の一部に、所定の透過光学特性を有する光学媒体を設けたプロモーションカードを使用し、当該プロモーションカードの光学媒体による隠蔽画像の顕在化と、当該プロモーションカードに印刷表示した標章とにより、ネットプロモーションを行えるようにしたネットプロモーションシステム、プロモーションカード、映像情報発信システム及び映像表示認識システムに関するものである。
【０００２】
【従来の技術】
一般に、隠蔽されている画像を顕在化して目視できるようにする技術は、従前より種々提供されていた。例えば、紙などで形成したベース上に、所定の化学反応を起こす液体でもって目視不能な画像を描画しておき、顕在化させる必要があるときに、当該目視不能な画像に化学反応を起こさせることにより当該画像を顕在化する方法や、所定の光線が照射されたときに反応するインクで画像を描画し、顕在化させる必要があるときに所定の光線を照射して当該画像を顕在化する方法や、所定温度変化によって変質するインクで画像を描画し、顕在化させる必要があるときに所定の温度変化を与えることにより当該画像を顕在化する方法などが提供されている。なお、ここで「画像」とは、文字、数字、記号、図形などを含むものとし、以下、同様に扱うものとする。
【０００３】
上記従来の技術において、化学反応を起こすことにより図形を顕在化する技術は、顕在化を必要とするところにおいて、顕在化させるための化学物質が必要となり、その使用が限定され実用的でない。
【０００４】
また、所定の温度変化を与えることにより当該画像を顕在化する技術は、熱そのものを得ることは困難ではないが、当該顕在化の操作をするときに、必ず熱源を必要とするほか、火傷をうけたりする恐れがあり、やはり、その使用が限定され、実用的ではない。
【０００５】
これら従来の方法に対して、所定の光線を照射して当該画像を顕在化する技術は、光線そのものを容易に得ることができるほか、今日の情報通信技術の発展により所望の波長の光線を簡単に得ることができるため、利用範囲が広いという利点があり、隠蔽画像によるプロモーションを行なう上で、今日、最も適した技術であるといえる。
【０００６】
このような光線による隠蔽画像を使用したプロモーションとしては、例えば次のようなものが提案されている。すなわち、透明なフィルムを備えたピースを用意し、当該ピースのフィルム上に所定の濃度でプロモーションしたい画像を記載し、この画像とは異なる色の塗料を前記画像上に塗布する。このピースのフィルム部を当該塗料と同一色の光線で照射すると、プロモーションしようとする画像を認識できるようになる（従来の映像プロモーション技術）。
【０００７】
【発明が解決しようとする課題】
しかしながら、従来の映像プロモーション技術によれば、透明なフィルムを備えたピース側に、隠蔽秘匿したい画像がすべて記載されているため、照射する光線が分かれば、当該画像を簡単に認識することができてしまう欠点があった。
【０００８】
また、当該画像を簡単に認識することができてしまう欠点があった。
【０００９】
さらに、従来の映像プロモーション技術によれば、透明なフィルムを備えたピース側に隠蔽秘匿したい画像をすべて記載しておかなければならないため、プロモーションしたい画像の変更の自由度が低いという欠点があった。
【００１０】
また、従来の映像プロモーション技術によれば、透明なフィルムを備えたピース側に隠蔽秘匿したい画像をすべて記載してあるため、例えば動きのある隠蔽秘匿したい画像を表示することができないという欠点があった。
【００１１】
本発明は、上述した欠点を解消し、隠蔽秘匿したい画像を効果的に認識可能にすることにより有効なプロモーションを可能にするネットプロモーションシステムと、このネットプロモーションシステムに使用されるプロモーションカード、映像情報発信システム及び映像表示認識システムを提供することを目的としている。
【００１２】
【課題を解決するための手段】
上記目的を達成するため、請求項１記載の発明に係るネットプロモーションシステムは、所定の文字、図形、記号などの標章が印刷されたシートの一部にプロモーションしようとする隠蔽画像が描画された光学媒体を設けてなるプロモーションカードと、
前記光学媒体内の隠蔽画像を顕在化させる色調を発色させる映像出力データを送信できる発信情報処理手段と、
前記発信情報処理手段からの映像出力データに基づいた色調を発色するユーザー端末装置を備え、前記ユーザー端末装置に表示されている色調に前記プロモーションカードの光学媒体をかざすことにより前記カードの光学媒体内の隠蔽画像を目視にて認識可能にする映像表示認識手段を具備し、
前記プロモーションカードに印刷された前記標章と前記光学媒体内の隠蔽画像とを使用することによりプロモーションすることを特徴とするものである。
【００１４】
請求項２記載の発明では、請求項１記載のネットプロモーションシステムにおいて、前記発信情報処理手段は、前記映像表示認識手段のユーザー端末装置から画像顕在化要求があったときに、前記映像出力データを送出することを特徴とするものである。
【００１５】
請求項３記載の発明では、請求項１または２記載のネットプロモーションシステムにおいて、前記発信情報処理手段は、前記ユーザー端末装置から送られてきた前記標章に応じた応答データを形成し、当該応答データを前記ユーザー端末装置に送出できることを特徴とするものである。
【００１６】
請求項４記載の発明では、請求項１乃至３のいずれか１つに記載のネットプロモーションシステムにおいて、前記発信情報処理手段は、前記隠蔽画像を見るときの、前記プロモーションカードの光学媒体を使用するための説明文や図等の情報を送信できることを特徴とするものである。
【００１７】
上記目的を達成するため、請求項５記載の発明では、請求項１乃至４のいずれか１つに記載のネットプロモーションシステムに使用するためのプロモーションカードは、所定の文字、図形、記号などの標章が印刷されたシートの一部に、プロモーションしようとする隠蔽画像が描画された光学媒体を設けてなることを特徴とするものである。
請求項６記載の発明では、請求項１乃至４のいずれか１つに記載のネットプロモーションシステムに使用するためのプロモーションカードは、少なくともチェックビット番号を含む所定の文字、図形、記号などの標章が印刷されたシートの一部に、プロモーションしようとする隠蔽画像が描画された光学媒体を設けてなることを特徴とするものである。
請求項７記載の発明では、請求項１乃至４のいずれか１つに記載のネットプロモーションシステムに使用するためのプロモーションカードは、少なくともチェックビット番号を含む所定の文字、図形、記号などの標章が印刷されたシートの一部に、プロモーションしようとする隠蔽画像が描画された光学媒体を設け、前記チェックビット番号は１枚毎に内容が異なるように設定されていることを特徴とするものである。
【００１９】
上記目的を達成するため、請求項８記載の発明の映像情報発信システムは、所定の文字、図形、記号などの標章が印刷されたシートの一部に、プロモーションしようとする隠蔽画像が描画された光学媒体を設けてなるプロモーションカードの光学媒体内に表示された隠蔽画像を顕在化させる色調を発色させる映像出力データを送信できる発信情報処理手段を具えたことを特徴とするものである。
【００２１】
請求項９記載の発明では、請求項８記載の映像情報発信システムにおいて、前記発信情報処理手段は、ユーザー端末装置から隠蔽画像の顕在化要求があったときに、前記映像出力データを送出することを特徴とするものである。
【００２２】
請求項１０記載の発明では、請求項８または９記載の映像情報発信システムにおいて、前記発信情報処理手段は、前記プロモーションカードに記載されている標章に関する情報がユーザー端末装置を介して送られてきたときに、当該標章の情報に応じた応答データを形成し、当該応答データを前記ユーザー端末装置に送出できることを特徴とするものである。
【００２３】
請求項１１記載の発明では、請求項８乃至１０のいずれか1つに記載の映像情報発信システムにおいて、前記発信情報処理手段は、前記隠蔽画像を見るときの、プロモーションカードの光学媒体を使用するための説明文や図等の情報を送信できることを特徴とするものである。
【００２４】
上記目的を達成するため、請求項１２記載の発明の映像表示認識システムは、発信情報処理手段からの映像出力データに基づいた色調を発色するユーザー端末装置を備え、
前記ユーザー端末装置に表示されている色調にプロモーションカードの光学媒体をかざすことにより前記プロモーションカードの光学媒体内の隠蔽画像を目視にて認識可能にすることを特徴とするものである。
【００２９】
【発明の実施の形態】
以下、本発明の実施の形態について図面を参照して説明する。
【００３０】
［第１の実施の形態］
図１ないし図４は本発明の第１の実施の形態に係るネットプロモーションシステムを説明するためのものである。ここで、図１は、本発明の第１の実施の形態に係るネットプロモーションシステムを示すブロック図である。
【００３１】
図１において、本発明の第１の実施の形態に係るネットプロモーションシステム１は、大別すると、プロモーションカード２と、映像情報発信システム３と、映像表示認識システム５，５，…とからなる。前記映像情報発信システム３は、インターネットなど通信を行なうことができる通信系統４を介して各映像表示認識システム５，５，…に接続されている。
【００３２】
前記プロモーションカード２は情報発信者が用意し、当該情報発信者が当該プロモーションカード２をユーザーに対して頒布するものとする（以下、同様とする）。なお、図１では、符号ｈで示す点線により、情報発信者がプロモーションカード２をユーザーに頒布している状態を表示しているものとする。
【００３３】
また、前記プロモーションカード２の表面には、所定の文字、図形、記号などの標章（具体的には、例えば「チェックビット番号」など）が印刷表示されているものとする。このプロモーションカード２に印刷表示されているチェックビット番号は、当該プロモーションカード２の一枚毎に内容が異なるように設定されているものとする（以下、同じ）。なお、チェックビット番号については、公知の技術を使用し、説明を省略する。
【００３４】
また、情報発信者は、上記プロモーションカード２と、映像情報発信システム３とを使用し、前記プロモーションカード２の当該チェックビット番号と前記映像情報発信システム３から発信される映像出力データとにより、プロモーションを行なえるようにしたものである。
【００３５】
ここで、映像情報発信システム３は発信情報処理手段３０からなる。この発信情報処理手段３０は、例えば、映像発信サーバー３１と、この映像発信サーバー３１に情報を設定する情報設定手段３２と、受信情報処理手段３３とからなる。
【００３６】
上記情報設定手段３２は、前記プロモーションカード２の光学媒体の使用方法を説明する図面や説明文や、前記プロモーションカード２の光学媒体内の隠蔽画像を顕在化させる色調を発色させるデータ等の情報を入力できるようになっていて、当該入力された情報を映像発信サーバー３１に供給できるようになっている。
【００３７】
前記映像発信サーバー３１は、情報設定手段３２に入力し設定された情報を基に、前記プロモーションカード２の光学媒体の使用方法を説明する図面や説明文や、プロモーションカード２内の隠蔽画像を顕在化させる色調を発色させる映像出力データを通信系統４に送信できる。
【００３８】
前記受信情報処理手段３３は、映像表示認識システム５から通信系統４を介して送られてくる情報を受信し、情報に応じた処理を行うことができる。また、受信情報処理手段３３は、前記プロモーションカード２に印刷表示されているチェックビット番号の情報が映像表示認識システム５、通信系統４を介して送られてきたときに、当該チェックビット番号の情報を基に、抽選等を行ってその結果を通信系統４を介して当該映像表示認識システム５に送出できる。
【００３９】
また、上記映像表示認識システム５は、図１に示すように、前記発信情報処理手段３０の映像発信サーバー３１からの映像出力データに基づいた色調を発色するユーザー端末装置５１を備え、前記ユーザー端末装置５１に表示されている色調に前記プロモーションカード２の光学媒体をかざすことにより前記プロモーションカード２の光学媒体内の隠蔽画像を目視にて認識可能にするものである。このユーザー端末装置５１は、例えばユーザーが使用できる状態にあるパーソナルコンピュータ（以下、「パソコン」という）であれば、自己所有や他人所有のものであってもよい。
【００４０】
なお、ユーザー端末装置５１の他の例としては、上記パソコン以外に、上記通信系統４に接続可能なコンピュータを挙げることができる。この場合にも、映像発信サーバー３１は、情報発信者の所有であっても所有でなくてもよい。要は、情報発信者がネットプロモーションを行なうことができるものであればよい。
【００４１】
さらに、上記ユーザー端末装置５１としては、モバイル端末や携帯電話を挙げることができるが、この場合の映像発信サーバー３１は電気通信事業者の設置する情報発信サーバーが相当する。加えて、上記ユーザー端末装置５１としては、双方向通信が可能な通信カラオケ装置や、双方向通信が可能なＣＡＴＶ受信装置や、双方向通信が可能なテレビジョン受像機などが挙げられるが、この場合の発信情報処理手段３０の情報送信部分は、送信所に設置された送信機が相当することになる。
【００４２】
図２は、本発明の第１の実施の形態に係るネットプロモーションシステムで使用するプロモーションカードの構成を示す平面図である。
【００４３】
このプロモーションカード２は、図２に示すように、例えば紙やプラスチックなどの薄い平板状の基材で構成したシート２１の表面の図示上部に、所定の文字、図形、記号などの標章（具体的には、チェックビット番号）２２が印刷表示されている。当該シート２１の表面の図示上部に印刷表示されているチェックビット番号２２は、当該プロモーションカード２に一枚毎に内容が異なるように設定されている。
【００４４】
また、前記プロモーションカード２は、図２に示すように、シート２１の一部に、所定の面積を有する光学媒体２３を配置している。この光学媒体２３には、プロモーションしようとする隠蔽画像が描画されている。前記光学媒体２３は、透明あるいは半透明のフィルムやアクリル薄板の上に、所定のインクで隠蔽画像を設け、その隠蔽画像上に異なる色のインクで他の画像を設けた構成になっている。
【００４５】
なお、当該プロモーションカード２の光学媒体２３に設けられた隠蔽画像は、ユーザー端末装置５１で表示される色調と補色の関係になるように設定されている。この補色の関係になる設定は、ユーザーには分からないようになっている。
【００４６】
このように構成した第１の実施の形態に係るネットプロモーションシステム、このネットプロモーションシステムに使用する映像情報発信システム及び映像表示認識システムの動作を、図１及び図２を参照して説明する。
【００４７】
まず、情報発信者は、あらかじめ定めた処理手順にしたがって、所定のプロモーションサービスしたい内容に従って、上述したような構成のプロモーションカード２を作成しておくものとする。
【００４８】
ついで、情報発信者は、当該プロモーションカード２の使用の方法についての図や説明文や解説の音声データ等の情報を、発信情報処理手段３０の情報設定手段３２に設定する。同様に、当該プロモーションカード２の隠蔽画像を顕在化させる色調の情報を、発信情報処理手段３０の情報設定手段３２に設定する。
【００４９】
これにより、発信情報処理手段３０の映像発信サーバー３１は、当該プロモーションカード２の使用の使用方法に関する映像出力データ、あるいは、当該プロモーションカード２の隠蔽画像を顕在化させる色調の情報を、ユーザー端末装置５１に送信可能になる。
【００５０】
次に、情報発信者は、プロモーションカード２をユーザーに配布する（図１の符号ｈ参照）。配布は有償でも無償でもよく、配布方法としは、従来行なわれている任意の方法を取ることができ、例えば、自宅やビルの郵便受けに入れたり、駅などでビラのように配ったり、スーパーで商品を買うお客に無償で配布したり、洗剤、食品、衣料品などの日用品等の商品に無償で貼り付けるなどして配布してもよい。
【００５１】
ユーザーは、ユーザー端末装置５１を使用し、発信情報処理手段３０の映像発信サーバー３１にアクセスして、プロモーションカード２の使用の仕方をユーザー端末装置５１に得る。これにより、ユーザー端末装置５１は、音声や映像により、プロモーションカード２の使用の仕方を提示する。
【００５２】
ユーザーは、ユーザー端末装置５１のディスプレイ上の画面を見て当該プロモーションカード２の使用方法を理解することができる。
【００５３】
また、ユーザーは、ユーザー端末装置５１を使用し、発信情報処理手段３０の映像発信サーバー３１にアクセスし、当該プロモーションカード２の光学媒体２３の隠蔽画像を顕在化させる映像出力データを要求する。
【００５４】
これにより、ユーザー端末装置５１のディスプレイ上は、前記プロモーションカード２の光学媒体２３の隠蔽画像を顕在化させる色調で発色することになる。
【００５５】
ユーザーは、プロモーションカード２の光学媒体２３部分を、ユーザー端末装置５１のディスプレイ上に当接させる。これにより、プロモーションカード２の光学媒体２３に設けられた隠蔽画像は、前記ユーザー端末装置５１のディスプレイ上に発色している色調と補色関係が成立することになって顕在化する。したがって、ユーザーはプロモーションカード２の光学媒体２３に設けられた隠蔽画像を認識することができる。上述したようにプロモーションカード２の光学媒体２３に設けた隠蔽画像は顕在し、例えば「３０％ＯＦＦ」のような文字として現れることになる。（図６参照）
【００５６】
このときに、プロモーションカード２のシート２１上に印刷表示されているチェックビット番号２２の情報を、ユーザーは、ユーザー端末装置５１を介して発信情報処理手段３０の受信情報処理手段３３に送信する。このときに、ユーザー端末装置５１からは、当該プロモーションカード２のチェックビット番号２２の情報の他に、端末装置番号、顧客ＩＤ、住所、氏名、電話番号等のユーザーを特定する情報を同時に送信するものとする。
【００５７】
上記発信情報処理手段３０の受信情報処理手段３３では、ユーザー端末装置５１から送られてきたプロモーションカード２のチェックビット番号２２等に関する情報を基に、抽選等の処理をする。このとき、発信情報処理手段３０の受信情報処理手段３３は、同一のプロモーションカード２によるチェックビット番号２２の情報が２度送られてきたときには、受信を拒否できるうように設定されている。発信情報処理手段３０の受信情報処理手段３３は、上記抽選等の処理した結果を、再び、ユーザー端末装置５１に送出する。
【００５８】
ユーザーは、ユーザー端末装置５１に表示された、受信情報処理手段３３から受信した情報を基に、例えばクイズに当選したことを知ることができたり、所望の商品情報を得ることができたりすることができる。
【００５９】
なお、発信情報処理手段３０の受信情報処理手段３３は、当該プロモーションカード２のチェックビット番号２２に基づく情報や、端末装置番号や、顧客ＩＤ等により各種の情報処理をすることができる。この受信情報処理手段３３による情報処理は、例えば、顧客管理や、顧客の嗜好動向や、その他、顧客に関する情報についての内容である。
【００６０】
このような第１の実施の形態によれば、プロモーションカード２の光学媒体２３に設けられた隠蔽映像を、ユーザー端末装置５１のディスプレイ上に表示された所定の色調の発色が存在するときにのみに認識可能になるため、隠蔽秘匿したい情報の秘匿度が高くなる。
【００６１】
また、上記第１の実施の形態によれば、プロモーションカード２の光学媒体２３上に設ける隠蔽画像と、映像出力データとの関係は、映像情報発信者側で任意に作成できるため、隠蔽秘匿したい情報の秘匿度が高くなる。
【００６２】
加えて、上記第１の実施の形態によれば、  隠蔽秘匿したい画像を効果的に認識可能にすることができる。
【００６３】
［第２の実施の形態］
図３ないし図６は本発明の第２の実施の形態に係るネットプロモーションシステムを説明するためのものである。ここで、図３は、本発明の第２の実施の形態に係るネットプロモーションシステムを示すブロック図である。
【００６４】
図３において、本発明の第２の実施の形態に係るネットプロモーションシステム１ａは、大別すると、プロモーションカード２ａと、映像情報発信システム３ａと、映像表示認識システム５ａ，５ａ，…とからなる。前記映像情報発信システム３ａは、インターネットなど通信を行なうことができる通信系統４ａを介して各映像表示認識システム５ａ，５ａ，…に接続されている。
【００６５】
前記プロモーションカード２ａは情報発信者が用意し、当該情報発信者が当該プロモーションカード２ａをユーザーに対して頒布する。なお、この図３では、符号ｈで示す点線により、情報発信者がプロモーションカード２ａをユーザーに頒布している状態を表示しているものとする。
【００６６】
また、前記プロモーションカード２ａの表面には、所定の文字、図形、記号などの標章（例えば、チェックビット番号）が印刷表示されているものとする。このプロモーションカード２ａに印刷表示されているチェックビット番号は、上記第１の実施の形態と同様に、当該プロモーションカード２ａの一枚毎に内容が異なるように設定されている。
ここで、映像情報発信システム３ａは発信情報処理手段３０ａからなる。この発信情報処理手段３０ａは、例えば、映像発信サーバー３１ａと、この映像発信サーバー３１ａに情報を設定する情報設定手段３２ａと、受信情報処理手段３３ａとからなる。
【００６７】
前記発信情報処理手段３０ａの映像発信サーバー３１ａは、表示用の主映像データ中にプロモーションしようとする隠蔽映像データを合成し、前記主映像データの画像のみを目視可能状態でかつ前記隠蔽映像データを目視不能状態で表示させる映像出力データを送信できるようになっている。
【００６８】
前記発信情報処理手段３０ａの情報設定手段３２ａは、前記プロモーションカード２ａの光学媒体の使用方法を説明する図面、説明文及び音声データや、前記プロモーションしようとする隠蔽映像データの情報を入力できるようになっていて、当該入力された情報を映像発信サーバー３１ａに供給できるようになっている。
【００６９】
また、発信情報処理手段３０ａの受信情報処理手段３３ａは、当該プロモーションカード２a のチェックビット番号に基づく情報や、端末装置番号や、顧客ＩＤ等により各種の情報処理をすることができる。この受信情報処理手段３３ａによる情報処理は、例えば、顧客管理や、顧客の嗜好動向や、その他、顧客に関する情報についての内容である。
【００７０】
また、上記映像表示認識システム５ａは、図３に示すように、ユーザーが所有し、目視不能な隠蔽映像データによる隠蔽画像及び主映像データによる主画像を表示するユーザー端末装置５１ａを具え、前記情報発信者から配布されたプロモーションカード２ａを前記ユーザー端末装置５１ａの画面にかざすことにより、隠蔽画像を顕在化できるようになっている。ここで、前記プロモーションカード２の光学媒体は、隠蔽映像データによる隠蔽画像または背景の色との間で補色の関係が成立する透過光学特性を持たせた媒体から構成したものである。
【００７１】
このユーザー端末装置５１ａとしては、隠蔽画像及び主画像を表示できるディスプレイと、所定の情報を入力できるキーボード等の入力手段を備えた装置を採用した構成とすればよい。
【００７２】
また、ユーザー端末装置５１ａの他の例としては、パソコン以外に、上記通信系統４ａに接続可能なコンピュータを挙げることができる。
【００７３】
上記ユーザー端末装置５１ａとしては、モバイル端末や携帯電話を挙げることができるが、この場合の映像発信サーバー３１ａは電気通信事業者の設置する情報発信サーバーが相当する。加えて、上記ユーザー端末装置５１ａとしては、双方向通信が可能な通信カラオケ装置や、双方向通信が可能なＣｂＴＶ受信装置や、双方向通信を行なうことができるテレビジョン受像機などが挙げられるが、この場合では、映像発信サーバー３１ａは、送信所に設置された送信機が相当することになる。
【００７４】
図４は、本発明の第２の実施の形態に係るネットプロモーションシステムで使用するプロモーションカードの構成を示す平面図である。
【００７５】
このプロモーションカード２ａは、図４に示すように、例えば紙やプラスチックなどの薄い平板状をした基材で構成したシート２１ａの一部に、所定の面積を有する光学媒体２３ａを配置してなる構成をしている。前記プロモーションカード２ａのシート２１ａの表面には、図４に示すように、必要に応じて標章（例えば、チェックビット番号）２２ａを印刷しておく。
【００７６】
また、プロモーションカード２ａの一部に設けられた光学媒体２３ａは、前記ユーザー端末装置５１ａに表示された画像のうち、隠蔽映像データによる隠蔽画像または背景の色との間で補色の関係が成立する透過光学特性を持たせた透過媒体から構成したものである。すなわち、光学媒体２３ａは、透明のフィルムやアクリル薄板などの薄板基板に色の補色関係を保つ透過性の塗料を特殊コーティングして構成したものであり、かつ、当該塗料の上に隠蔽画像を認識するに邪魔にならないインク等で文字等を印刷してある。
【００７７】
このように構成した第２の実施の形態に係るネットプロモーションシステム、このネットプロモーションシステムに使用する映像情報発信システム及び映像表示認識システムの動作を、図３及び図４を基に、図５及び図６を参照して説明する。
【００７８】
ここで、図５は、本発明の第２の実施の形態に係る映像情報発信システムが発信する合成映像データを映像表示認識システムの表示装置によって表示した合成画像の例を示す説明図である。図６は、本発明の第２の実施の形態に係る映像情報発信システムが発信する合成映像データを映像表示認識システムの表示装置によって表示した合成画像の中に隠蔽画面が顕在化した状態を示す説明図である。
【００７９】
まず、情報発信者側では、あらかじめ定めた処理手順にしたがって、所定のプロモーションサービスしたい内容について、プロモーションカード２ａを作成しておく。
【００８０】
ついで、情報発信者側では、当該プロモーションカード２ａの使用の方法に関する情報と、隠蔽画像に関する情報とを、前記情報設定手段３２ａを介して映像発信サーバー３１ａに入力しておく。
【００８１】
情報発信者は、ユーザーに対して、プロモーションカード２ａを配布しておく（図３の符号ｈ参照）。
【００８２】
ユーザーは、ユーザー端末装置５１ａを発信情報処理手段３０ａの映像発信サーバー３１ａに接続し、プロモーションカード２ａの使用の仕方を取得する。ユーザーは、ユーザー端末装置５１ａのディスプレイに表示された映像やスピーカから聞こえる音声などから、プロモーションカード２ａの使用の仕方を理解する。
【００８３】
しかる後に、ユーザーは、ユーザー端末装置５１ａを発信情報処理手段３０ａの映像発信サーバー３１ａに接続し、映像発信サーバー３１ａから映像出力データの送出を要求する。
【００８４】
これにより、ユーザー端末装置５１ａには、前記映像発信サーバー３１ａから当該隠蔽映像データを主映像データに合成した映像出力データを得ることができる。
【００８５】
これにより、上記ユーザー端末装置５１ａのディスプレイには、図５に示すように、合成映像データ内の主映像データによる主画像９０が表示される。この主画像９０の内部には、当該主画像９０によって隠蔽された隠蔽画像９１が表示されているが、そのままでは目視不能である。
【００８６】
ユーザーは、図５の符号Ｐに示すように、あらかじめ配布されたプロモーションカード２ａの光学媒体２３ａ部分を当該主画像９０の隠蔽画像９１の部分に当接する。これにより、映像表示認識システム５a のユーザー端末装置５１ａのディスプレイ上には、図６に示すように、プロモーションカード２ａの光学媒体２３ａを当接した部分に、プロモーションしようとした情報が顕在画像９２として現れてくることになる。
【００８７】
この第２の実施の形態では、顕在画像９２としては、図６に示すように例えば「３０％ＯＦＦ」のような文字が現れてくることになる。この顕在画像９２が現れる理由は、図６に示す主画像９０の隠蔽画像９１の部分の文字の色と、上記プロモーションカード２ａの光学媒体２３ａの色とが補色の関係に保たれるように設定されていることから、文字部分が例えば黒色となって顕在化するものである。
【００８８】
このように上記プロモーションカード２ａによって、ユーザー端末装置５１ａのディスプレイ上に表示されたプロモーションしようとした情報を、ユーザーに認識させることができる。
【００８９】
ユーザーは、プロモーションカード２ａのチェックビット番号２２ａを、ユーザー端末装置５１ａから発信情報処理手段３０ａの受信情報処理手段３３ａに送信する。
【００９０】
このプロモーションカード２ａのチェックビット番号２２ａは、受信情報処理手段３３ａにおいて例えば抽選処理等される。受信情報処理手段３３ａにおいて処理結果は、通信系統４ａを介してユーザー端末装置５１ａに与えられる。
【００９１】
したがって、ユーザーは、ユーザー端末装置５１ａのディスプレイに表示される受信情報処理手段３３ａからの回答を基に、例えば、クイズに当選したことを知ることができたり、所望の商品情報を得ることができる。
【００９２】
なお、このときに、ユーザー端末装置５１ａは、標章（チェックビット番号）２２ａと、端末装置番号や顧客ＩＤ等も送信されるものとする。したがって、受信情報処理手段３３ａは、プロモーションカード２ａの標章（チェックビット番号）２２ａが２度送られてきたときには、受信を拒否できるようになっている。
【００９３】
また、上記受信情報処理手段３３ａは、当該チェックビット番号及び端末装置番号や顧客ＩＤ等により各種の情報処理をすることができる。この受信情報処理手段３３ａによる情報処理は、例えば、顧客管理や、顧客の嗜好動向や、その他、顧客に関する情報についての内容である。
【００９４】
このように本発明の第２の実施の形態では、映像情報発信システム３ａは、主映像データに対して、プロモーションしたい情報を隠蔽映像データとして合成し合成映像データとして各映像表示認識システム５ａ，５ａ，…に配信し、かつ、ユーザー側では、ユーザー端末装置５１ａのディスプレイ上に表示された主画像９０の中にプロモーションしたい情報が隠蔽画像９１として表示され、プロモーションカード２ａの光学媒体２３で隠蔽画像９１を顕在化させることにより、ユーザーに所望のプロモーションデータを与えることができることになる。
【００９５】
このような第２の実施の形態によれば、プロモーションカード２ａの光学媒体２３ａには何らの情報も記載されておらず、ユーザー端末装置５１ａのディスプレイ上に表示された隠蔽画像９１が存在するときにのみ、プロモーションデータを認識可能になるため、隠蔽秘匿したい情報の秘匿度が高くなる。
【００９６】
また、上記第２の実施の形態によれば、隠蔽映像データは映像情報発信システム３ａ側で任意に作成できるため、プロモーションしたい画像の変更の自由度が高いという利点がある。
【００９７】
さらに、上記第２の実施の形態によれば、動きのある隠蔽秘匿したい画像を表示することができる。
【００９８】
加えて、上記第２の実施の形態によれば、  隠蔽秘匿したい画像を効果的に認識可能にすることができる。
【００９９】
［第３の実施の形態］
図７ないし図１０は本発明の第３の実施の形態に係るネットプロモーションシステムを説明するためのものである。ここで、図７は、本発明の第３の実施の形態に係るネットプロモーションシステムを示すブロック図である。
【０１００】
この図７において、本発明の第３の実施の形態に係るネットプロモーションシステム１ｂは、大別すると、プロモーションカード２ｂと、映像情報発信システム３ｂと、映像表示認識システム５ｂ，５ｂ，…とからなる。前記映像情報発信システム３ｂは、インターネットなど通信を行なうことができる通信系統４ｂを介して各映像表示認識システム５ｂ，５ｂ，…に接続されている。
【０１０１】
上記映像情報発信システム３ｂは、図７に示すように、映像発信サーバー３１ｂと、情報設定手段３２ｂと、受信情報処理手段３３ｂとからなる。ここで、映像発信サーバー３１ｂは、第１の実施の形態と同様に、例えば映像発信サーバーで構成すればよい。また、前記プロモーションカード２ｂは、隠蔽画像を目視にて認識可能にする透過光学特性を有する光学媒体を一部に備えた平板形状をしたカードから構成されている。このプロモーションカード２ｂの光学媒体は、隠蔽映像データによる隠蔽画像を構成する表示点の位置に合わせた透過部を設けた透過光学特性を有する媒体から構成したものである。
【０１０２】
また、上記映像表示認識システム５ｂは、図７に示すように、ユーザーが所有し、あるいは、ユーザーが使用できる状況になっていて、目視不能な隠蔽映像データによる隠蔽画像及び主映像データによる主画像を表示するユーザー端末装置５１ｂを具え、このユーザー端末装置５１ｂに表示された目視不能な隠蔽映像データを目視にて認識可能にする透過光学特性を有する光学媒体を備えたプロモーションカード２ｂを、前記ユーザー端末装置５１ｂのディスプレイに表示されている画像にかざすことにより、顕在化できるようになっている。
【０１０３】
このユーザー端末装置５１ｂと発信情報処理手段３０ｂとの関係は、上記第１の実施の形態や上記第２の実施の形態と同様である。
【０１０４】
図８は、本発明の第３の実施の形態に係るネットプロモーションシステムで使用するプロモーションカードの構成を示す平面図である。
【０１０５】
このプロモーションカード２ｂは、図８に示すように、例えば紙やプラスチックなどの薄い平板状をした基材で構成したシート２１ｂの一部に、所定の面積を有する光学媒体２３ｂを配置してなる構成をしている。前記プロモーションカード２ｂのシート２１ｂの表面には、図示しないが必要に応じて画像や文字を印刷しておく。この場合、当該プロモーションカード２ｂの表面には、第１の実施の形態や第２の実施の形態と同様に、当該シート２１ｂの表面に、各プロモーションカード２ｂの上に、標章（チェックビット番号）２２ｂやその他の情報等を印刷しておくことが望ましい。
【０１０６】
また、上記プロモーションカード２ｂの一部に設けられた光学媒体２３ｂは、前記ユーザー端末装置５１ｂのディスプレイに表示された画像のうち、隠蔽映像データによる隠蔽画像を構成する表示点の位置に合わせた透過部を設けた透過光学特性を有する媒体から構成したものである。すなわち、光学媒体２３ｂは、不透明のフィルムやアクリル薄板、あるいは、透明のフィルムやアクリル薄板に光を透過しない塗料を当該フィルムやアクリル薄板の全面に塗布してなるものなどの薄板状のシート２１ｂに、例えば５．０〜０．１［ｍｍ］程度の孔２９，２９，…（これら孔２９，２９，…は、図８では、黒色で示している。）を、隠蔽映像データによる隠蔽画像を構成する表示点の位置に合わせた穿設してなるものである。なお、この光学媒体２３ｂは、穿設した孔２９，２９，…の他に、隠蔽画像を認識するに邪魔にならない程度にダミー孔を設けることにより、秘匿性を高めてもよい。
【０１０７】
なお、上記光学媒体２３ｂでは、シート２１ｂに孔２９，２９，…を設けた例で説明したが、例えば透明のフィルムやアクリル薄板に光を透過しない塗料を当該フィルムやアクリル薄板の全面に塗布してなるものなどの薄板状のシート２１ｂの場合では、孔２９，２９，…に代えて、当該孔２９，２９，…部分の塗料をはぎ取って透過部分を構成するようにしてもよい。
【０１０８】
このように構成した第３の実施の形態に係るネットプロモーションシステム、このネットプロモーションシステムに使用する映像情報発信システム及び映像表示認識システムの動作を、図７及び図８を基に、図９及び図１０を参照して説明する。
【０１０９】
ここで、図９は、本発明の第３の実施の形態に係る映像情報発信システムが発信する合成映像データを映像表示認識システムの表示装置によって表示した合成画像の例を拡大して示す説明図である。図１０は、本発明の第３の実施の形態に係る映像情報発信システムが発信する合成映像データを映像表示認識システムの表示装置によって表示した合成画像の中に隠蔽画面が顕在化した状態を拡大して示す説明図である。
【０１１０】
まず、情報発信者側では、あらかじめ定めた処理手順にしたがって、所定のプロモーションサービスしたい内容に基づいて、プロモーションカード２ｂを作成する。
【０１１１】
ついで、情報発信者側では、当該プロモーションカード２ｂの使用の方法に関する情報と、隠蔽画像に関する情報とを、前記情報設定手段３２ｂを介して映像発信サーバー３１ｂに入力しておく。
【０１１２】
情報発信者は、ユーザーに対して、プロモーションカード２ｂを配布しておく（図７の符号ｈ参照）。
【０１１３】
ユーザーは、ユーザー端末装置５１ｂを発信情報処理手段３０ｂの映像発信サーバー３１ｂに接続し、プロモーションカード２ｂの使用の仕方を取得する。ユーザーは、ユーザー端末装置５１ｂのディスプレイに表示された映像やスピーカから聞こえる音声などから、プロモーションカード２ｂの使用の仕方を理解する。
【０１１４】
しかる後に、ユーザーは、ユーザー端末装置５１ｂを発信情報処理手段３０ｂの映像発信サーバー３１ｂに接続し、映像発信サーバー３１ｂから映像出力データの送出を要求する。
【０１１５】
その結果、ユーザー端末装置５１ｂには、前記映像発信サーバー３１ｂから当該隠蔽映像データを主映像データに合成した映像出力データを得ることができる。これにより、上記ユーザー端末装置５１ｂのディスプレイには、図９に示すように、合成映像データ内の主映像データによる主画像９０ｂが表示される。この主画像９０ｂの内部には、当該主画像によって隠蔽された所定の配置の発光点５０，５０，…（当該発光点５０，５０，…は、図８では、黒色で示してある）から構成される隠蔽画像９１ｂが表示されているが、通常、そのままでは目視不能に表示されるようしてある。
【０１１６】
ユーザーは、あらかじめ配布されたプロモーションカード２ｂの光学媒体２３ｂの部分を当該主画像の隠蔽画像９１ｂの部分に当接すると、プロモーションしようとした情報が、図１０に示すように、顕在画像９２ｂとして現れてくることになる。
【０１１７】
この第３の実施の形態では、顕在画像９２ｂとしては、例えば「パンダの図形」が現れてくることになる。この顕在画像９２ｂが現れる理由は、図１０に示す主画像の隠蔽画像９１ｂの部分の発光点（図では黒色５０，５０，…で表示されている）の位置と、上記プロモーションカード２ｂの光学媒体２３ｂの孔２９，２９，…の位置とが所定の関係に保たれるように設定されていることから、「パンダの図形」が第３の実施の形態では黒色の図形となって顕在化するものである。
【０１１８】
このように上記プロモーションカード２ｂによって、ユーザー端末装置５１ｂのディスプレイ上に表示されたプロモーションしようとした情報を、ユーザーに認識させることができる。
【０１１９】
ユーザーは、この認識した情報を基に、所定の情報を得ることができる。ユーザーは、当該情報を基に、ユーザー端末装置５１ｂを使用し、前記プロモーションカード２ｂに印刷されているコード番号を通信系統４ｂを介して映像情報発信システム３ｂの受信情報処理手段３３ｂに送信し、所定のサービスを受けることができる。なお、上記受信情報処理手段３３ｂは、同一のカード番号が２度送られてきたときには、上記第１の実施の形態と第２の実施の形態と同様に、受信を拒否することができる。
【０１２０】
上記受信情報処理手段３３ｂによる顧客情報の処理については、上記第１の実施の形態と第２の実施の形態と同様に行なうことができる。
【０１２１】
このように本発明の第３の実施の形態では、映像情報発信システム３ｂは、主映像データに対して、プロモーションしたい情報を隠蔽映像データとして合成し合成映像データとして各映像表示認識システム５ｂ，５ｂ，…に配信し、かつ、ユーザー側では、ユーザー端末装置５１ｂのディスプレイ上に表示された主画像の中にプロモーションしたい情報が隠蔽画像９１ｂとして表示され、上記プロモーションカード２ｂの光学媒体２３ｂで隠蔽画像９１ｂを顕在化させることにより、ユーザーに所望のプロモーションデータを与えることができることになる。
【０１２２】
このような第３の実施の形態によれば、上記第１の実施の形態や上記第２の実施の形態と同様に、次のような利点を得ることができる。
【０１２３】
（１）プロモーションカード２ｂの光学媒体２３ｂには何らの情報も記載されておらず、ユーザー端末装置５１ｂのディスプレイ上に表示された隠蔽画像９１ｂが存在するときにのみ、プロモーションデータを認識可能になるため、隠蔽秘匿したい情報の秘匿度が高くなる。
【０１２４】
（２）隠蔽映像データは隠蔽映像発信システム３ｂ側で任意に作成できるため、プロモーションしたい画像の変更の自由度が高い。
【０１２５】
（３）動きのある隠蔽秘匿したい画像を表示することができ、かつ、隠蔽秘匿したい画像を効果的に認識可能にすることができる。
【０１２６】
［他の実施の形態］
上記第１の実施の形態ないし第３の実施の形態は、それぞれオンラインシステムで説明したが、他の実施の形態としてはオフラインシステムで構成してもよい。すなわち、本発明の他の実施の形態において、隠蔽映像発信システムは、プロモーションしたい情報を隠蔽映像データとし主映像データに合成して合成映像データにし、この合成映像データを例えばビデオテープ、ＣＤ−ＲＯＭ、ＣＤ−Ｒ、ＣＤ−ＲＷ、ＤＶＤなどの記憶媒体に格納し、当該記憶媒体を映像表示認識システム側に渡し、これら記憶媒体の映像データを映像表示認識システムのユーザー端末装置で再生し、かつ、あらかじめ頒布されたピースにより、隠蔽画像を顕在化し、プロモーション情報をユーザーに与えるようにしてもよい。
【０１２７】
この場合、ユーザーからの情報は、電子メールや通常の郵便を使用するなどすればよい。
【０１２８】
また、上記他の実施の形態において、隠蔽映像発信システムが発信する隠蔽映像データ及びユーザーに頒布するピースは、上記第１の実施の形態ないし第３の実施の形態で使用したものを使用することができる。
【０１２９】
このような他の実施の形態によっても、上記第１の実施の形態ないし第３の実施の形態の利点を得ることができる。
【０１３０】
【発明の効果】
以上説明したように、請求項１〜１２記載に係る発明によれば、プロモーションカードの光学媒体に設けられた隠蔽画像は、ユーザー端末装置のディスプレイ上に表示された所定の色調の発色が存在するときにのみに認識可能になるため、隠蔽秘匿したい情報の秘匿度が高くなる。また、プロモーションカードの光学媒体上に設ける隠蔽画像と、映像出力データとの関係は、映像情報発信者側で任意に作成できるため、隠蔽秘匿したい情報の秘匿度が高くなる。
【図面の簡単な説明】
【図１】本発明の第１の実施の形態に係るネットプロモーションシステムを示すブロック図である。
【図２】本発明の第１の実施の形態に係るネットプロモーションシステムで使用するプロモーションカードの構成を示す平面図である。
【図３】本発明の第２の実施の形態に係るネットプロモーションシステムを示すブロック図である。
【図４】本発明の第２の実施の形態に係るネットプロモーションシステムで使用するピースの構成を示す平面図である。
【図５】本発明の第２の実施の形態に係る隠蔽映像発信システムが発信する合成映像データを映像表示認識システムの表示装置によって表示した合成画像の例を示す説明図である。
【図６】本発明の第２の実施の形態に係る隠蔽映像発信システムが発信する合成映像データを映像表示認識システムの表示装置によって表示した合成画像の中に隠蔽画面が顕在化した状態を示す説明図である。
【図７】本発明の第３の実施の形態に係るネットプロモーションシステムを示すブロック図である。
【図８】本発明の第３の実施の形態に係るネットプロモーションシステムで使用するピースの構成を示す平面図である。
【図９】本発明の第３の実施の形態に係る隠蔽映像発信システムが発信する合成映像データを映像表示認識システムの表示装置によって表示した合成画像の例を拡大して示す説明図である。
【図１０】本発明の第３の実施の形態に係る隠蔽映像発信システムが発信する合成映像データを映像表示認識システムの表示装置によって表示した合成画像の中に隠蔽画面が顕在化した状態を拡大して示す説明図である。
【符号の説明】
１，１ａ，１ｂ  ネットプロモーションシステム
２，２ａ，２ｂ  プロモーションカード
３，３ａ，３ｂ  映像情報発信システム
４，４ａ，４ｂ  通信系統
５，５ａ，５ｂ  映像表示認識システム
２１，２１ａ，２１ｂ  シート
２２，２２ａ，２２ｂ  標章（チェックビット番号）
２３，２３ａ，２３ｂ  光学媒体
２９    孔
３１，３１ａ，３１ｂ  映像発信サーバー
３２，３２ａ，３２ｂ  情報設定手段
３３，３３ａ，３３ｂ  受信情報処理手段
５１，，５１ａ，５１ｂ  ユーザー端末装置
【図１】
0003680933.tif 000002
【図２】
0003680933.tif 000003
【図３】
0003680933.tif 000004
【図４】
0003680933.tif 000005
【図５】
0003680933.tif 000006
【図６】
0003680933.tif 000007
【図７】
0003680933.tif 000008
【図８】
0003680933.tif 000009
【図９】
0003680933.tif 000010
【図１０】
0003680933.tif 000011